(57)【要約】【課題】吸引風に含まれる細塵の多少の分布状況を基に、目の大きさが異なるフィルターを選択することで、エネルギー効率と耐久性を向上させた電気掃除機を提供すること。【解決手段】所定の目の大きさの第１フィルター１１と、第１フィルター１１より細かい目の大きさをもつ第２フィルター１２と、第１フィルター１１より細かく第２フィルター１２より粗い目の大きさをもつ第３フィルター１３と、集塵室８の上流側の経路に設けられ、所定の大きさの塵埃に対して反応する第１塵埃検出手段２４と、第１塵埃検出手段２４と異なる大きさの塵埃に対して反応する第２塵埃検出手段２５とを備え、第１、第２塵埃検出手段２４、２５の出力結果から、制御手段２２がフィルター切替手段１５を駆動させるようにしたもので、吸引風に含まれる細塵の多少の状況に応じて、最適のフィルターを選択し、塵埃を集塵することで、エネルギー効率と耐久性を向上できるようになる。【選択図】図１
2011055856.tif 000002
【特許請求の範囲】
【請求項１】
掃除機本体内に吸引力を発生する電動送風機と、前記電動送風機を駆動する電動送風機駆動手段と、前記駆動手段に信号を送ることで前記電動送風機への電力供給量を制御する制御手段と、吸引により塵埃を集塵しておく集塵室を有し、さらに所定の目の大きさをもつ第１フィルターと、前記第１フィルターより細かい目の大きさをもつ第２フィルターと、さらに前記第１フィルターより細かく前記第２フィルターより粗い目の大きさをもつ第３フィルターと、集塵室後方下流側の風路に各フィルターを切り替えて設定できるフィルター切替手段とを備え、集塵室前方上流側の吸引経路には所定の大きさの塵埃に対して反応する第１塵埃検出手段と、前記第１塵埃検出手段と異なる大きさの塵埃に対して反応する第２塵埃検出手段と、前記第１塵埃検出手段と第２塵埃検出手段の出力結果に基づいて、前記フィルター切替手段を駆動させ、前記第１フィルターから第３フィルターの内、１つまたは複数のフィルターを選択して塵埃を集塵することを特徴とする電気掃除機。
【請求項２】
集塵室後方下流側の吸引風路の圧力を検出する圧力検知手段を備え、吸引する塵埃の分布状況にあわせて、電動送風機への電力供給量を制御する請求項１記載の電気掃除機。
【請求項３】
電動送風機の排気方向に、所定の排気面積を有する第１排気口と、排気量設定手段にて排気面積の大きさを調整可能な第２排気口とを備え、塵埃の分布状況および／または集塵部の圧力によって、前記第２排気口の排気面積を可変させる請求項１または２記載の電気掃除機。
【請求項４】
目詰まりチェックモードを有し、フィルター切替手段によってフィルターを切り替えながら、所定の電力で電動送風機を運転することで、個々のフィルターの目詰まり具合を自動的に判別し、報知手段を備えて使用者に報知する請求項１〜３記載のいずれか１項に記載の電気掃除機。
【請求項５】
目詰まりチェックモードで判断した結果、いずれかのフィルターが目詰まり状態にあると判断した場合に、塵埃分布判断手段の結果によらず、目詰まり状態のフィルターを選択しないようにする請求項４記載の電気掃除機。
【請求項６】
専用お手入れモードを有し、第２フィルターと第３フィルターのいずれかが吸引経路上にフィルター切替手段によって選択されている場合に、選択されていない側のフィルターの後方に、電動送風機の排気を回す排気経路切替手段を備え、お手入れモード運転として、吸引側でないフィルターに付いた塵埃を後方から吹き飛ばして、フィルターに細塵が長時間付着しないようにして、お手入れを軽減する請求項１〜５のいずれか１項に記載電気掃除機。
【請求項７】
掃除運転を行った後、それぞれのフィルターの選択されていた運転時間及び／又は目詰まり判定に応じて、お手入れ運転を行うようにした請求項６記載の電気掃除機。
【発明の詳細な説明】
【技術分野】
【０００１】
本発明は、一般家庭用において使用される電気掃除機の制御に関するものである。
【背景技術】
【０００２】
従来より電気掃除機で吸引した塵埃検出手段を備えたものにおいて、塵埃を検出するセンサーを備えて、その検出量により除塵機能を作動させる構成が知られており、例えば特許文献１では、塵埃センサーの出力に応じてフィルターに振動を加えるバイブレーターの駆動時間を変えるようにする工夫が記されている。また、近年では塵埃センサーの高機能化も進んでおり、特許文献２のように塵埃の大きさに応じて除塵動作を変えたり、特許文献３のような塵埃の中でも目詰まりの原因となる細塵の量を判断して除塵動作を行うようにしたものも提案されている。また、集塵袋を装着するタイプのものであるが、塵埃センサーの進化に伴い検出できる塵埃の大きさに応じたフィルターの目すなわちメッシュの孔の大きさを設定した特許文献４などが提案されてきている。
【先行技術文献】
【特許文献】
【０００３】
【特許文献１】特開２００７−２９６０５０号公報
【特許文献２】特開２００８−１０４６８６号公報
【特許文献３】特開２００８−１１３７８８号公報
【特許文献４】特開２００７−６８７５９号公報
【発明の概要】
【発明が解決しようとする課題】
【０００４】
これらの発明においては、塵埃センサーの検出する塵埃量を基にフィルターを振動させて除塵動作を行うことで、無駄な電力消費を抑えつつ吸引力を下げないようにする効果を上げているが、細塵を逃がさない目の細かいフィルターを備えた塵埃では、除塵動作を行ったとしても強い吸引力で吸引すればするほど、圧力損失が大きくなりエネルギーとしては無駄を生じてしまい、同時に電動送風機への負担も大きくなるという課題があった。逆にエネルギー効率を上げるためには圧力損失の低い目の大きなフィルターが良いが、細塵が多い場合には集塵されずに塵埃を逃がしてしまうという欠点を生じてしまう。つまりこれら２つの条件を同時には対応できないという課題があった。また、近年の遠心分離方式などによるフィルターを用いない集塵方式もあるが、細塵を分離捕集するためにかなりの圧力損失が生じており、必要のない場合でもエネルギー効率的には低く、同時に電動送風機に対する負荷も大きいという課題は同様にあった。
【０００５】
本発明はこれらの課題を解決するもので、集塵する塵埃の大きさを判断できる複数の塵埃検出手段を備え、集塵する細塵があまり無い場合には圧力損失の少ないフィルターを備えた集塵室に吸引風を送り、細塵が多く存在し、細塵をしっかりと捕集する必要がある場合には、目の細かいフィルターを備えた集塵室に風を送るようにすることで、塵埃をしっかりと集塵するとともに、電動送風機への負担を減らしてエネルギー効率が高く、さらに耐久性も向上する電気掃除機を提供することを目的とするものである。
【課題を解決するための手段】
【０００６】
前記従来の課題を解決するために本発明は、掃除機本体内に吸引力を発生する電動送風機と、前記電動送風機を駆動する電動送風機駆動手段と、前記駆動手段に信号を送ることで前記電動送風機への電力供給量を制御する制御手段と、吸引により塵埃を集塵しておく集塵室を有し、さらに所定の目の大きさをもつ第１フィルターと、前記第１フィルターよ
り細かい目の大きさをもつ第２フィルターと、さらに前記第１フィルターより細かく前記第２フィルターより粗い目の大きさをもつ第３フィルターと、集塵室後方下流側の風路に設けられて前記各フィルターの切り替えを設定するフィルター切替手段とを備え、集塵室前方上流側の吸引経路には所定の大きさの塵埃に対して反応する第１塵埃検出手段と、前記第１塵埃検出手段と異なる大きさの塵埃に対して反応する第２塵埃検出手段と、前記第１塵埃検出手段と第２塵埃検出手段の出力結果に基づいて、前記フィルター切替手段を駆動させ、前記第１フィルターから第３フィルターの内、１つ又は複数のフィルターを選択して塵埃を集塵するようにしたもので、細塵を多く吸引する場合には吸引風が目の細かいフィルターを通るようにしてしっかりと捕集するようにした上で、細塵がほとんどないような場合には目のやや広いフィルターを通すことで、圧力損失を抑えて電動送風機への負担を減らし、エネルギー効率を高めるとともに、電動送風機の負担を抑えることによる耐久性の向上を図ることができる電気掃除機を提供するものである。
【発明の効果】
【０００７】
本発明の電気掃除機によれば、塵埃検出手段の検出結果から細塵が多いか少ないかの分布状況を判断して目の大きさが異なるフィルターに切り替えて吸引風を吸引するので、十分な集塵能力を確保しつつ、圧力損失を必要に応じたレベルで調整できるのでモータへの負担も抑えることができ、エネルギー効率が高く耐久性も向上させた電気掃除機を提供することができる。
【図面の簡単な説明】
【０００８】
【図１】本発明の実施の形態１における電気掃除機の制御ブロック図
【図２】同、電気掃除機を本体上部方向からみた略断面図
【図３】同、電気掃除機を本体横手方向からみた略断面図
【図４】同、電機掃除機の外観斜視図
【発明を実施するための形態】
【０００９】
第１の発明は、掃除機本体内に吸引力を発生する電動送風機と、前記電動送風機を駆動する電動送風機駆動手段と、前記駆動手段に信号を送ることで前記電動送風機への電力供給量を制御する制御手段と、吸引により塵埃を集塵しておく集塵室を有し、さらに所定の目の大きさをもつ第１フィルターと、前記第１フィルターより細かい目の大きさをもつ第２フィルターと、さらに前記第１フィルターより細かく前記第２フィルターより粗い目の大きさをもつ第３フィルターと、集塵室後方下流側の風路に各フィルターを切り替えて設定できるフィルター切替手段とを備え、集塵室前方上流側の吸引経路には所定の大きさの塵埃に対して反応する第１塵埃検出手段と、前記第１塵埃検出手段と異なる大きさの塵埃に対して反応する第２塵埃検出手段と、前記第１塵埃検出手段と第２塵埃検出手段の出力結果に基づいて、前記フィルター切替手段を駆動させ、前記第１フィルターから第３フィルターの内、１つ又は複数のフィルターを選択して塵埃を集塵するようにしたもので、細塵を多く吸引する場合には吸引風が目の細かいフィルターを通るようにして、多くの細塵をしっかりと捕集するようにし、細塵がほとんど無いような場合には目のやや広いフィルターを通すことで、圧力損失を抑えて電動送風機への負担を減らし、エネルギー効率を高めるとともに、電動送風機の負担を抑えることによる耐久性の向上を図る電気掃除機を提供することができる。
【００１０】
第２の発明は、第１の発明の集塵室の後方下流側の吸引風路の圧力を検出する圧力検知手段を備え、吸引する塵埃の分布状況にあわせて、電動送風機への電力供給量を制御するようにしたもので、塵埃の大きさや切り替えているフィルターの目の大きさにあわせて適した電動送風機の運転を行うことで、無駄な電力消費を抑えるだけでなく捕集効率も向上させる電気掃除機を提供することができる。
【００１１】
第３の発明は、第１または第２の発明の電動送風機の排気方向に、所定の排気面積を有する第１排気口と、排気量設定手段にて排気面積の大きさを調整可能な第２排気口とを備え、塵埃の分布状況および／または集塵部の圧力によって、前記第２排気口の排気面積を可変させるようにしたもので、圧力損失を調整する能力を向上させるとともに、フィルターが塵埃を捕集するのに吸引速度で吸引するようにしてより集塵能力を高め、エネルギーの効率も向上させる電気掃除機を提供することができる。
【００１２】
第４の発明は、第１〜第３のいずれか１つの発明に加えて、目詰まりチェックモードを有し、フィルター切替手段によってフィルターを切り替えながら、所定の電力で電動送風機を運転することで、個々のフィルターの目詰まり具合を自動的に判別し、報知手段を備えて使用者に報知するようにしたもので、複数のフィルターを備えていても、目詰まりしているフィルターを特定できるので、お手入れも効率よくでき、目詰まりした状態での運転をできるだけ抑えて無駄な電力消費を抑えた電気掃除機を提供することができる。
【００１３】
第５の発明は、第４の発明の目詰まりチェックモードで判断した結果、いずれかのフィルターが目詰まり状態にあると判断した場合に、塵埃分布判断手段の結果によらず、目詰まり状態のフィルターを選択しないようにするようにしたもので、自動的に目詰まり状態での運転を抑えることができるので、さらに無駄な電力消費を抑えてエネルギー効率を高める電気掃除機を提供することができる。
【００１４】
第６の発明は、第１〜第５のいずれか１つの発明に加えて、専用お手入れモードを有し、第２フィルターと第３フィルターのいずれかが吸引経路上にフィルター切替手段によって選択されている場合に、選択されていない側のフィルターの後方に、電動送風機の排気を回す排気経路切替手段を備え、お手入れモード運転として、吸引側でないフィルターに付いた塵埃を後方から吹き飛ばして、フィルターに細塵が長時間付着しないようにして、お手入れを軽減するようにしたもので、排気によるブロワーにより効率的にフィルターの付着ゴミを落として、ゴミ捨て時のお手入れの手間を省くことができ、結果として目詰まり状態での運転時間の短縮も図れる電気掃除機を提供することができる。
【００１５】
第７の発明は、第６の発明の掃除運転を行った後、それぞれのフィルターの選択されていた運転時間及び／又は目詰まり判定に応じて、お手入れ運転を行うようにしたもので、長時間のフィルターのゴミ付着を防ぐことで、目詰まり状態をより抑えることができる電気掃除機を提供することができる。
【００１６】
以下、本発明の実施の形態について、図面を参照しながら説明する。尚、この実施の形態によって本発明が限定されるものではない。
【００１７】
（実施の形態１）
本発明の第１の実施の形態について図１〜図４を参照しながら説明する。
【００１８】
先ず、図１〜図４を用いて各構成要素について説明する。
【００１９】
図４は、電気掃除機の外観斜視図で、１は掃除機本体（以下、「本体」と称す）で、本体１内には吸引力を発生させる電動送風機２が収納されている。また本体１にはホース３が接続され、ホース３の一部には使用者が操作する操作部４、吸引した塵埃を検出する塵埃検出部５が設けられている。また６はホース３と床用吸込具７とを接続する延長管である。
【００２０】
次に図２は本体１を上部方向から見た略断面図、図３は、本体１を横手方向から見た略断面図である。ここで、本体１内には集塵室８を設け、その後方に隔壁９が設けられ、隔
壁９の一部は電動送風機２への吸引風を送る連絡口１０となっている。また、集塵室８の後部に第１フィルター１１と、第１フィルター１１より目の細かい第２フィルター１２と、第１フィルター１１より目が細かく第２フィルター１２より目が粗い第３フィルター１３をもつ。ここで、第１フィルター１１に重なるようにその前面に第２フィルター１２と第３フィルター１３は選択切替可能な状態で設定され、電動送風機２により発生した吸引風は集塵室８から第２フィルター１２と第３フィルター１３のいずれかを通り、第１フィルター１１を通って、連絡口１０を経て電動送風機２へと向かう。第２フィルター１２と第３フィルター１３については、電動機などから構成されたフィルター切替手段１５によってフィルター切替板１４が回転して位置が切り替えられることで、その風路に第２フィルター１２と第３フィルター１３のいずれかが選択される（詳細は図３（ｂ）を参照）。
【００２１】
また、電動送風機２の排気は本体１の後方に配された第１排気口１７から排出されるが、このとき、排気量設定手段２０によって第２排気口制御部１９が第２排気口１８を開口した場合には、排気面積が増大する構成となっている。また１６は圧力センサーなどから構成された連絡口１０の圧力を検出する圧力検知手段である。またホース３の一部を構成する塵埃検出部５内には、赤外発光ダイオードとフォトトランジスタなどで構成された塵埃センサー２３が収納されている。
【００２２】
次に、図１はこの電気掃除機の制御ブロック図の一例で、２１は電動送風機２を駆動するための双方向性サイリスタなどで構成された電動送風機駆動手段である。２２はマイクロコンピュータなどで構成される制御手段である。制御手段２２は操作部４からの操作信号を受けて判断し、電動送風機駆動手段２１へ駆動信号を送る。２３は、塵埃検出部５に収納された塵埃センサー部で、２４は塵埃センサー部２３の出力信号をオペアンプやコンパレータなどから増幅機能とフィルター機能をもたせた回路構成からなり所定の増幅率で塵埃の検出を判断し信号を出力する第１塵埃検出手段であり、２５は塵埃センサーの出力信号を第１塵埃検出手段よりさらに大きな増幅率で増幅する回路構成で、より細かい塵埃を検出することができる第２塵埃検出手段である。２６は、第１塵埃検出手段２４と第２塵埃検出手段２５の検出結果から現在の塵埃の分布状況を判断して、制御手段２２へ伝える塵埃分布判断手段である。
【００２３】
また２８は、塵埃の検出状況やフィルター切替状況、排気口制御状況、さらには各フィルターの目詰まり状況などを使用者に報知するための報知手段で、ＬＥＤなどの表示素子などから構成されている。また、図２及び図３を用いて説明したフィルター切替手段１５及び排気量設定手段２０も制御手段２２の信号によって動作するようになっており、圧力検知手段１６はその検出結果を制御手段２２へ送っている。また、３０は電磁弁などから構成される排気経路切替手段で、制御手段２２からの制御信号によって、第１排気口１７及び第２排気口１８を閉じるとともに、お手入れブロワ経路３１への接続口を開いて、電動送風機２の排気を集塵室側に戻す。お手入れブロワ経路３１は、集塵室８から連絡口１０への通路で選択されていない側のフィルターの後方へ通じており、集塵室８へ連通する。
【００２４】
上記構成において、その動作を説明する。
【００２５】
使用者が本体１を商用電源（図示せず）に接続し、操作部４によって運転を指示すると、制御手段２２は、電動送風機駆動手段２１へ信号を送り、電動送風機２に電力が供給されて運転を始める。電動送風機２の運転によって吸引風が床用吸込具７から延長管６、ホース３を経由して本体１へ送られる。このとき、吸引風と同時に吸引された塵埃も本体１内へ吸引される。このとき、塵埃センサー２３によって検出された塵埃は、その大きさから第１塵埃検出手段２４または第２塵埃検出手段２５によってカウントされ、塵埃分布判断手段２６に信号を送る。塵埃分布手段２６は所定時間での塵埃中の細塵の分布状況を判
断手段２２へ送る。この所定時間は判断するのに適当な時間を実験などに基づいて一定の時間として定めてもよいし、学習機能を持たせることで、使用される場所の条件によって変動するようにしても良い。
【００２６】
次に判断手段２２は、塵埃分布判断手段２６から得た情報を基に、第２フィルター１１と第３フィルター１３のどちらが適当かを判断して、フィルター切替手段１５に信号を送り、フィルター切替板１４の設定を行う。本体１内の集塵室８へ入った後の吸引風は、フィルター切替板１４の設定状況で上部に配された第２フィルター１２または第３フィルター１３のいずれかを通り、その後方の第１フィルター９を通った後に、連絡口１０を通じて電動送風機２へ吸引される。このとき、連絡口１０は隔壁９の上部にのみ開口し、そのまま電動送風機２への連通しているため、連絡口１０へ連通しない下部に配されたフィルターへは塵埃は吸引されないようになっており、フィルターの選択が可能な構成となっている。
【００２７】
具体的には、細塵が多い場合には、目が細かい第２フィルター１２が上部に配されて、吸引経路を構成し、そうでない場合には、第３フィルター１３が上部に配されて吸引経路を構成する。フィルターの目が細かいと言うことは、そもそも吸引をする際の圧力損失が大きいことになるため、電動送風機３へかかる負荷も大きく、エネルギーも多く必要になる。塵埃の大きさの分布から判断される必要に応じた集塵室の切り替えによって、圧力損失も制御し、電動送風機２の負担も減らすことで、耐久性を向上することもできる。また、同時に細塵の分布のみが多い場合には、あまり強い吸引は必要ないため、電動送風機２の電力供給量を減らして運転することで、エネルギー効率も高めることができる。このとき、第１集塵室後方に設けられた圧力検出手段１６の検出した圧力より実際の吸引風量や負圧を判断することによって、電動送風機２への最適な電力供給量を判断することで、吸引している塵埃に応じて、必要十分な吸引を設定することができる。圧力検知手段１６の設置場所については、連絡口１０内部が最も細塵によるフィルター切替の判断材料とするのに適していると考えるが、推測可能な条件を算出することで、より実装のために有利な場所に設定しても良い。さらに吸引風は最終的に、電動送風機２を通り、第１排気口１７または第２排気口１８より本体１の外へ排気が排出される。このとき、判断手段２２からの出力によって、排気量設定手段２０はアクチュエーターなどから構成された第２排気口制御１９を動作させ、第２排気口１８の開口量を調節、すなわち排気面積を調節し、これにより排気風速を制御して各集塵室のフィルターを吸引風が通過する風速を制御することができる。
【００２８】
またフィルターで塵埃を捕集するのには、そのフィルターの目の大きさと塵埃の大きさ、及び圧力損失などから適した風速が実験によって定めることができる。その設定を考慮した上で、圧力検知手段１６の出力結果も加味して電動送風機２への電力供給量の調整を含めて排気面積の制御をすることで、捕集効率とエネルギー効率を高めて、かつ電動送風機２への負担を下げることから耐久性も向上した電気掃除機を実現することができる。さらに、実際の運転する場合の使用者への耳障りな音の低減に使用することで、より快適な掃除を行うようにすることもできる。報知手段２８にて使用者は、その状況を把握できるので、場合によって吸引力を優先するような選択をスイッチ（図示せず）などを設けて選択することができるようにしても良い。
【００２９】
また、制御手段２２は目詰まりチェックモードとして、フィルター切替板１４の設定を切り替えながら、所定の電力で電動送風機２を運転して、それぞれの設定での圧力検知手段１６の出力結果から第２フィルター１２、第３フィルター１３のそれぞれのフィルターの目詰まり具合を判断し、報知手段２８を用いて使用者に報知することができる。目詰まりチェックモードは所定時間運転後に自動的に行ってもよいし、スイッチなどで構成される何らかの入力手段を設けて、手動チェック機能としてもよい。また、圧力検知手段１６
の他に電動送風機２の電流を検知するなどして、精度の向上も図ることができる。この機能によって使用者は複数のフィルターのお手入れ時期をフィルター毎に知ることができ、効率的なお手入れができるので使い勝手の向上を図れるとともに、目詰まりでの運転時間を減らすことができ、結果として掃除機の無駄な電力消費を抑えたり、耐久性の向上にも繋げることができる。
【００３０】
また、第２フィルターと第３フィルターのいずれが目詰まりしているかを制御手段２２は判断できているので、使用者に報知を行うだけでなく、お手入れされるまで、目詰まりしている側のフィルターを選択しないようにして、目詰まりの進行を防ぐこともできる。目詰まりが進行することで、電動送風機２への負担は増大し、無駄な電力消費を行うことにもなるので、これを防ぐことによって、エネルギー効率や耐久性の向上をさらに図ることができる。
【００３１】
また、フィルターの選択設定を活用し、排気経路を切り替えることで、フィルターのブロワー手入れをすることができる。図３では、電動送風機２の排気経路にはお手入れブロワ経路３１が接続されている。この接続部は通常は閉じているが、制御手段２２の信号によって、電磁弁などで構成された排気経路切替手段３０がこの接続部を開き、同時に第１排気口１７、第２排気口１８は閉じる。すると排気はお手入れブロワ経路３１に出される。さらに、この排気はフィルター切替板１４の下部に後方から接続されており、吸引経路に設定されていないフィルターの後方から集塵室８に向かって押し出され、このとき、フィルターに付着した塵埃を集塵室８内に押し出す。
【００３２】
風路としては、そのままフィルター切替板１４の上部に設定されたフィルターを通って連絡口１０を通じ、電動送風機２へとつながっていく循環経路となる。これは長時間運転すると過度な温度上昇を招くが、ブロワーによりフィルター付着塵埃の押し出しが目的のため、短時間運転でよい。この機能によって、各フィルターに付着した塵埃を効率よくふるい落とすことも可能である。この機能についても手動のスイッチを設けて強制的に動作させることも可能であるが、通常運転後に使用していないフィルターに付着した塵埃を定期的に除塵するようにすれば、堆積する前に除塵することで、目詰まり状態そのものを防ぐことができ、電動送風機２への負荷を軽減でき、余分な電力消費を抑えると共に耐久性を向上させることもできる。もちろんフィルターの目詰まりを判断することで自動的に働かせることもできる。使用者の手を煩わせることなく効率よく塵埃を除塵でき、使い勝手の向上とフィルターへの長期間付着によるこびり付きや電動送風機２に負荷のかかった状態での運転時間を減らすことで、エネルギー効率や耐久性をさらに効果を高めることもできる。
【００３３】
尚、本実施の形態においては、第１のフィルターに、第２または第３のフィルターを重ねるケースをベースに、説明したが、これに必ずしも限定されるものではなく、例えば、第１〜第３のフィルターの内、１つのフィルターのみを用いるようにしても良く、また第１〜第３フィルターの全てを重ねるようにして用いても良く、もちろん３種類のフィルターに限定されるものではなく、４種類以上のフィルターで構成しても支障がないものである。
【産業上の利用可能性】
【００３４】
以上のように、本発明にかかる電気掃除機は、電動送風機と除塵機能の効率的な運転でエネルギー効率を高めると共に耐久性も向上させるものとして極めて有用なものである。
【符号の説明】
【００３５】
１  掃除機本体
２  電動送風機
４  操作部
８  集塵室
１０  連絡口
１１  第１フィルター
１２  第２フィルター
１３  第３フィルター
１４  フィルター切替板
１５  フィルター切替手段
１６  圧力検知手段
１７  第１排気口
１８  第２排気口
１９  第２排気口制御部
２０  排気量設定手段
２１  電動送風機駆動手段
２２  制御手段
２３  塵埃センサー
２４  第１塵埃検出手段
２５  第２塵埃検出手段
２６  塵埃分布判断手段
２８  報知手段
３０  排気経路切替手段
３１  お手入れブロワ経路
【図１】
2011055856.tif 000003
【図２】
2011055856.tif 000004
【図３】
2011055856.tif 000005
【図４】
2011055856.tif 000006